(57)【要約】【課題】  遠隔操作と誤動作防止の両機能を備えていること。【解決手段】  操作部を備えたリモコン本体２の前面に光発信器ＬＥＤを収納する収納凹部３が形成され、該収納凹部３とリモコン本体２の前板部２ａとの間にスペース９が形成されると共に、該スペース９に連通して前記前板部２ａの裏面側にポケット１０が形成され、前記スペース９を介して収納凹部３に連通する投光窓１１が前記前板部２ａに開設され、光学フィルタ８を嵌め込んだ枠体１２が前記スペース９とポケット１０との間で往復移動可能に前記前板部２ａの裏面に配置され、前記枠体１２に一体突設されて投光窓１１から前方に突出する摘まみ部１２ａが設けられており、その摘まみ部１２ａを把持して前記光学フィルタ８付き枠体１２をポケット１０内からスペース９内まで移動させてその光学フィルタ８で前記光発信器ＬＥＤを被うようにした。【選択図】        図１
2007089072.tif 000002
【特許請求の範囲】
【請求項１】
操作部を備えたリモコン本体の前面に光発信器を収納する収納凹部が形成され、該収納
凹部を被うようにしてリモコン本体の前面にガイド筒が着脱可能に取り付けられており、
前記操作部を操作して光発信器から発信したリモコン信号を前記ガイド筒により絞って被
操作機器の受信部に受信させることにより、該被操作機器を遠隔操作するようにしたリモ
コン発信機において、前記ガイド筒に替えてリモコン信号の出力を減衰させる光学フィル
タが用いられ、前記収納凹部とリモコン本体の前板部との間にスペースが形成されると共
に、該スペースに連通して前記前板部の裏面側にポケットが形成され、前記スペースを介
して収納凹部に連通する投光窓が前記前板部に開設され、前記光学フィルタを嵌め込んだ
枠体が前記スペースとポケットとの間で往復移動可能に前記前板部の裏面に配置され、前
記枠体に一体突設されて投光窓から前方に突出する摘まみ部が設けられており、その摘ま
み部を把持して前記光学フィルタ付き枠体をポケット内からスペース内まで移動させてそ
の光学フィルタで前記光発信器を被うようにしたしたことを特徴とするリモコン発信機。
【請求項２】
操作部を備えたリモコン本体の前面に光発信器を収納する収納凹部が形成され、該収納
凹部を被うようにしてリモコン本体の前面にガイド筒が着脱可能に取り付けられており、
前記操作部を操作して光発信器から発信したリモコン信号を前記ガイド筒により絞って被
操作機器の受信部に受信させることにより、該被操作機器を遠隔操作するようにしたリモ
コン発信機において、前記ガイド筒に替えてリモコン信号の出力を減衰させる光学フィル
タが用いられ、リモコン本体の前面に沿うホルダ本体と該ホルダ本体の両端から直角に折
曲して後方に延びる左右一対の側板部とからなる平面視略コ字状のホルダを有し、該ホル
ダの各側板部とそれに対向するリモコン本体の両側面とのうち、その一方に形成した凸部
をその他方に形成した凹部に係合させることにより、そのホルダがリモコン本体の前部に
着脱可能に装着され、前記ホルダ本体の裏面に前記収納凹部に対向するスペースと該スペ
ースに連通するポケットとが形成され、前記スペースを介して収納凹部に連通する投光窓
が前記ホルダ本体に開設され、前記光学フィルタを嵌め込んだ枠体が前記スペースとポケ
ットとの間で往復移動可能に前記ホルダ本体の裏面に配置され、前記枠体に一体突設され
て投光窓から前方に突出する摘まみ部が設けられており、その摘まみ部を把持して前記光
学フィルタ付き枠体をポケット内からスペース内まで移動させてその光学フィルタで前記
光発信器を被うようにしたしたことを特徴とするリモコン発信機。
【請求項３】
操作部を備えたリモコン本体の前面に光発信器を収納する収納凹部が形成され、該収納
凹部を被うようにしてリモコン本体の前面にガイド筒が着脱可能に取り付けられており、
前記操作部を操作して光発信器から発信したリモコン信号を前記ガイド筒により絞って被
操作機器の受信部に受信させることにより、該被操作機器を遠隔操作するようにしたリモ
コン発信機において、前記ガイド筒に替えてリモコン信号の出力を減衰させる光学フィル
タが用いられ、前記収納凹部とリモコン本体の前板部との間にスペースが形成され、該ス
ペースを介して収納凹部に連通するそのスペースよりも小形の投光窓が前記前板部に形成
され、前記光学フィルタを嵌め込んだ枠体の外周面の後部に係合片が一体形成されると共
に、該枠体の外周面の前部に鍔部が一体形成されており、前記光学フィルタ付き枠体を投
光窓内に嵌入させ前記係合片をスペースに係脱可能に係合させると共に、鍔部をリモコン
本体の前面に当接させてその光学フィルタで前記光発信器を被うようにしたしたことを特
徴とするリモコン発信機。
【請求項４】
操作部を備えたリモコン本体の前面に光発信器を収納する収納凹部が形成されており、
前記操作部を操作して光発信器から発信したリモコン信号を被操作機器の受信部に受信さ
せることにより、該被操作機器を遠隔操作するようにしたリモコン発信機において、リモ
コン信号の出力を減衰させる光学フィルタを有し、該光学フィルタが前記光発信器を被う
ようにリモコン本体に取付け可能に形成されていることを特徴とするリモコン発信機。
【請求項５】
前記収納凹部とリモコン本体の前板部との間にスペースが形成されると共に、スペース
に連通して前記前板部の裏面側にポケットが形成され、前記スペースを介して収納凹部に
連通する投光窓が前記前板部に開設され、前記光学フィルタを嵌め込んだ枠体が前記スペ
ースとポケットとの間で往復移動可能に前記前板部の裏面に配置されており、前記光学フ
ィルタ付き枠体をポケット内からスペース内まで移動させてその光学フィルタで前記光発
信器を被うようにしたしたことを特徴とする請求項４に記載のリモコン発信機。
【請求項６】
前記リモコン本体の前部にホルダが着脱可能に装着され、該ホルダの裏面に前記収納凹
部に対向するスペースと該スペースに連通するポケットとが形成され、前記スペースを介
して収納凹部に連通する投光窓が前記ホルダに開設され、前記光学フィルタを嵌め込んだ
枠体が前記スペースとポケットとの間で往復移動可能に前記ホルダの裏面に配置されてお
り、前記光学フィルタ付き枠体をポケット内からスペース内まで移動させてその光学フィ
ルタで前記光発信器を被うようにしたしたことを特徴とする請求項４に記載のリモコン発
信機。
【請求項７】
前記収納凹部とリモコン本体の前板部との間にスペースが形成され、該スペースを介し
て収納凹部に連通するそのスペースよりも小形の投光窓が前記前板部に形成され、前記光
学フィルタを嵌め込んだ枠体の外周面に係合片が一体形成されており、前記光学フィルタ
付き枠体を投光窓内に嵌入させ前記係合片をスペースに係脱可能に係合させてその光学フ
ィルタで前記光発信器を被うようにしたしたことを特徴とする請求項４に記載のリモコン
発信機。
【発明の詳細な説明】
【技術分野】
【０００１】
本発明は、例えばディスク装置（ＤＶＤプレーヤ及びＤＶＤレコーダ）やテレビジョン
受像機などの電子機器を遠隔操作するためのリモコン送信機に関し、特に、隣接する電子
機器の誤操作を防止するようにしたものである。
【背景技術】
【０００２】
従来、リモコン送信機の一例として図１０に示すものがある。これは、各種押釦１ａか
らなる操作部１を備えたリモコン本体２の前面中央にすり鉢状収納凹部３が形成され、該
収納凹部３内に赤外線発光ダイオードからなる光発信器ＬＥＤが収納されており、図１１
に示すように、操作部１を操作して光発信器ＬＥＤから発信したリモコン信号を電子機器
（被操作機器）４Ａ〜４Ｃの受信部５に受信させることにより、該各電子機器４Ａ〜４Ｃ
を遠隔操作する。
【０００３】
上記構成では、光発信器ＬＥＤから各電子機器４Ａ〜４Ｃまでの間隔ｈが大きくても、
リモコン信号の出力を大きくすることにより、その各電子機器４Ａ〜４Ｃを確実に遠隔操
作することできるという利点があるが、その反面、例えば中央の電子機器４Ｂを遠隔操作
しようとしたときに、隣接する電子機器４Ａ、４Ｃの受信部５にもリモコン信号が受信さ
れて、その隣接する電子機器４Ａ、４Ｃが誤操作されることがある。
【０００４】
上記難点を解消する技術として特許文献１に記載したものがある。これは、図１０に仮
想線で示すように、収納凹部３を被うようにしてリモコン本体２の前面にガイド筒７が着
脱可能に取り付けられたものであって、そのガイド筒７でリモコン信号を絞ることにより
、隣接する電子機器４Ａ、４Ｃの受信部５にリモコン信号が受信されないようにするもの
である。
【特許文献１】特開２００２−４４７６６号公報
【発明の開示】
【発明が解決しようとする課題】
【０００５】
上記従来の構成では、ガイド筒７によりリモコン信号を絞っているので、例えば中央の
電子機器４Ｂを操作する場合には、該電子機器４Ｂの受信部５に対してガイド筒７を通し
て光発信器ＬＥＤを正確に対向させる必要があり、その光発信器ＬＥＤの向きが受信部５
からずれると、その電子機器４Ｂの操作を行うことができない。しかも、光発信器ＬＥＤ
の向きがずれることによって、隣接する電子機器４Ａ、４Ｃが誤操作されるおそれもあり
、根本解決にはなっていない。
【０００６】
本発明は、上記従来の欠点に鑑み、遠隔操作と誤動作防止の両機能を備えたリモコン発
信機を提供することを目的としている。
【課題を解決するための手段】
【０００７】
上記目的を達成するため、請求項１に記載の発明は、操作部を備えたリモコン本体の前
面に光発信器を収納する収納凹部が形成され、該収納凹部を被うようにしてリモコン本体
の前面にガイド筒が着脱可能に取り付けられており、前記操作部を操作して光発信器から
発信したリモコン信号を前記ガイド筒により絞って被操作機器の受信部に受信させること
により、該被操作機器を遠隔操作するようにしたリモコン発信機において、前記ガイド筒
に替えてリモコン信号の出力を減衰させる光学フィルタが用いられ、前記収納凹部とリモ
コン本体の前板部との間にスペースが形成されると共に、該スペースに連通して前記前板
部の裏面側にポケットが形成され、前記スペースを介して収納凹部に連通する投光窓が前
記前板部に開設され、前記光学フィルタを嵌め込んだ枠体が前記スペースとポケットとの
間で往復移動可能に前記前板部の裏面に配置され、前記枠体に一体突設されて投光窓から
前方に突出する摘まみ部が設けられており、その摘まみ部を把持して前記光学フィルタ付
き枠体をポケット内からスペース内まで移動させてその光学フィルタで前記光発信器を被
うようにしたしたことを特徴としている。
【０００８】
請求項２に記載の発明は、操作部を備えたリモコン本体の前面に光発信器を収納する収
納凹部が形成され、該収納凹部を被うようにしてリモコン本体の前面にガイド筒が着脱可
能に取り付けられており、前記操作部を操作して光発信器から発信したリモコン信号を前
記ガイド筒により絞って被操作機器の受信部に受信させることにより、該被操作機器を遠
隔操作するようにしたリモコン発信機において、前記ガイド筒に替えてリモコン信号の出
力を減衰させる光学フィルタが用いられ、リモコン本体の前面に沿うホルダ本体と該ホル
ダ本体の両端から直角に折曲して後方に延びる左右一対の側板部とからなる平面視略コ字
状のホルダを有し、該ホルダの各側板部とそれに対向するリモコン本体の両側面とのうち
、その一方に形成した凸部をその他方に形成した凹部に係合させることにより、そのホル
ダがリモコン本体の前部に着脱可能に装着され、前記ホルダ本体の裏面に前記収納凹部に
対向するスペースと該スペースに連通するポケットとが形成され、前記スペースを介して
収納凹部に連通する投光窓が前記ホルダ本体に開設され、前記光学フィルタを嵌め込んだ
枠体が前記スペースとポケットとの間で往復移動可能に前記ホルダ本体の裏面に配置され
、前記枠体に一体突設されて投光窓から前方に突出する摘まみ部が設けられており、その
摘まみ部を把持して前記光学フィルタ付き枠体をポケット内からスペース内まで移動させ
てその光学フィルタで前記光発信器を被うようにしたしたことを特徴としている。
【０００９】
請求項３に記載の発明は、操作部を備えたリモコン本体の前面に光発信器を収納する収
納凹部が形成され、該収納凹部を被うようにしてリモコン本体の前面にガイド筒が着脱可
能に取り付けられており、前記操作部を操作して光発信器から発信したリモコン信号を前
記ガイド筒により絞って被操作機器の受信部に受信させることにより、該被操作機器を遠
隔操作するようにしたリモコン発信機において、前記ガイド筒に替えてリモコン信号の出
力を減衰させる光学フィルタが用いられ、前記収納凹部とリモコン本体の前板部との間に
スペースが形成され、該スペースを介して収納凹部に連通するそのスペースよりも小形の
投光窓が前記前板部に形成され、前記光学フィルタを嵌め込んだ枠体の外周面の後部に係
合片が一体形成されると共に、該枠体の外周面の前部に鍔部が一体形成されており、前記
光学フィルタ付き枠体を投光窓内に嵌入させ前記係合片をスペースに係脱可能に係合させ
ると共に、鍔部をリモコン本体の前面に当接させてその光学フィルタで前記光発信器を被
うようにしたしたことを特徴としている。
【００１０】
請求項４に記載の発明は、操作部を備えたリモコン本体の前面に光発信器を収納する収
納凹部が形成されており、前記操作部を操作して光発信器から発信したリモコン信号を被
操作機器の受信部に受信させることにより、該被操作機器を遠隔操作するようにしたリモ
コン発信機において、リモコン信号の出力を減衰させる光学フィルタを有し、該光学フィ
ルタが前記光発信器を被うようにリモコン本体に取付け可能に形成されていることを特徴
としている。
【００１１】
請求項５に記載の発明は、請求項４に記載の発明において、前記収納凹部とリモコン本
体の前板部との間にスペースが形成されると共に、スペースに連通して前記前板部の裏面
側にポケットが形成され、前記スペースを介して収納凹部に連通する投光窓が前記前板部
に開設され、前記光学フィルタを嵌め込んだ枠体が前記スペースとポケットとの間で往復
移動可能に前記前板部の裏面に配置されており、前記光学フィルタ付き枠体をポケット内
からスペース内まで移動させてその光学フィルタで前記光発信器を被うようにしたしたこ
とを特徴としている。
【００１２】
請求項６に記載の発明は、請求項４に記載の発明において、前記リモコン本体の前部に
ホルダが着脱可能に装着され、該ホルダの裏面に前記収納凹部に対向するスペースと該ス
ペースに連通するポケットとが形成され、前記スペースを介して収納凹部に連通する投光
窓が前記ホルダに開設され、前記光学フィルタを嵌め込んだ枠体が前記スペースとポケッ
トとの間で往復移動可能に前記ホルダの裏面に配置されており、前記光学フィルタ付き枠
体をポケット内からスペース内まで移動させてその光学フィルタで前記光発信器を被うよ
うにしたしたことを特徴としている。
【００１３】
請求項７に記載の発明は、請求項４に記載の発明において、前記収納凹部とリモコン本
体の前板部との間にスペースが形成され、該スペースを介して収納凹部に連通するそのス
ペースよりも小形の投光窓が前記前板部に形成され、前記光学フィルタを嵌め込んだ枠体
の外周面に係合片が一体形成されており、前記光学フィルタ付き枠体を投光窓内に嵌入さ
せ前記係合片をスペースに係脱可能に係合させてその光学フィルタで前記光発信器を被う
ようにしたしたことを特徴としている。
【発明の効果】
【００１４】
請求項１に記載の発明は第１の実施の形態（図１及び図２参照）に対応するものであっ
て、これによれば、光学フィルタで光発信器を被っていない状態において、リモコン本体
の操作部を操作することにより、所望の被操作機器を遠くからでも遠隔操作することがで
き、もしも、その遠隔操作により隣接する被操作機器が誤操作されるときには、光学フィ
ルタで光発信器を被えばよい。これによって、光発信器から発信するリモコン信号の出力
が減衰されるから、その隣接する被操作機器が誤操作されるのを確実に防止することがで
きる。そして、リモコン信号の出力が減衰された分だけリモコン本体を所望の被操作機器
に近づけて操作部を操作することにより、その所望の被操作機器だけを確実に操作するこ
とができる。
【００１５】
ここで重要なことは、光学フィルタを用いずに従来通りに被操作機器を遠隔操作するこ
とができると共に、光学フィルタを用いて隣接する被操作機器の誤操作を防止することが
できるということであり、二通りの使い方ができるので、使い勝手が良い。
【００１６】
また、光学フィルタ付き枠体を光発信器の前方に形成したスペースとその側方に形成し
たポケットとの間で往復移動させるだけで、光学フィルタで光発信器を被わずに従来通り
に被操作機器を遠隔操作したり、光学フィルタで光発信器を被って隣接する被操作機器が
誤操作されるのを防止することができ、この場合、スペースとポケット及び光学フィルタ
付き枠体とが外部から見えないようにリモコン本体内に組み込まれているので、外観上の
体裁を良好に保持することができる。
【００１７】
請求項２に記載の発明は第２の実施の形態（図５〜図７参照）に対応するものであって
、これによれば、請求項１に記載の発明と同様の効果を得ることができ、特に、スペース
及びポケットを介して光学フィルタ付き枠体が組み込まれたホルダをリモコン本体の前部
に装着するようになっており、既存のリモコン本体をそれにほとんど加工を施すことなく
そのまま使用できるので、経済的である。
【００１８】
請求項３に記載の発明は第３の実施の形態（図８及び図９参照）に対応するものであっ
て、これによれば、請求項１に記載の発明と同様の効果を得ることができ、特に、光学フ
ィルタ付き枠体が小型軽量で、製作費が安くつき、しかも、光学フィルタ付き枠体を投光
窓に嵌入させるだけで該枠体の外周面に一体形成した係合片をスペースに係合させてリモ
コン本体に簡単に取り付けることができ、取り扱いやすい。
【００１９】
請求項４に記載の発明は基本形態に対応するものであって、これによれば、光学フィル
タで光発信器を被っていない状態において、リモコン本体の操作部を操作することにより
、所望の被操作機器を遠くからでも遠隔操作することができ、もしも、その遠隔操作によ
り隣接する被操作機器が誤操作されるときには、光学フィルタで光発信器を被えばよい。
これによって、光発信器から発信するリモコン信号の出力が減衰されるから、その隣接す
る被操作機器が誤操作されるのを確実に防止することができる。そして、リモコン信号の
出力が減衰された分だけリモコン本体を所望の被操作機器に近づけて操作部を操作するこ
とにより、その所望の被操作機器だけを確実に操作することができる。
【００２０】
ここで重要なことは、光学フィルタを用いずに従来通りに被操作機器を遠隔操作するこ
とができると共に、光学フィルタを用いて隣接する被操作機器の誤操作を防止することが
できるということであり、二通りの使い方ができるので、使い勝手が良い。
【００２１】
請求項５に記載の発明によれば、光学フィルタ付き枠体を光発信器の前方に形成したス
ペースとその側方に形成したポケットとの間で往復移動させるだけで、光学フィルタで光
発信器を被わずに従来通りに被操作機器を遠隔操作したり、光学フィルタで光発信器を被
って隣接する被操作機器が誤操作されるのを防止することができ、この場合、スペースと
ポケット及び光学フィルタ付き枠体とが外部から見えないようにリモコン本体内に組み込
まれているので、外観上の体裁を良好に保持することができる。
【００２２】
請求項６に移載の発明によれば、スペース及びポケットを介して光学フィルタ付き枠体
が組み込まれたホルダをリモコン本体の前部に装着するようになっており、既存のリモコ
ン本体をそれにほとんど加工を施すことなくそのまま使用できるので、経済的である。
【００２３】
請求項７に記載の発明によれば、光学フィルタ付き枠体が小型軽量で、製作費が安くつ
き、しかも、光学フィルタ付き枠体を投光窓に嵌入させるだけで該枠体の外周面に一体形
成した係合片をスペースに係合させてリモコン本体に簡単に取り付けることができ、取り
扱いやすい。
【発明を実施するための最良の形態】
【００２４】
図１及び図２は本発明の第１の実施の形態であるリモコン発信機を示すものであって、
所定の周波数（この実施の形態では１１５０ｎｍ）のリモコン信号の出力を１００％（図
３のａ参照）から例えば５０％（図３のｂ参照）まで減衰させる光学フィルタ８が用いら
れ、リモコン本体２が底枠部２Ａと天枠部２Ｂとに上下に二分割され、該リモコン本体２
の収納凹部３とそのリモコン本体２の前板部２ａとの間にスペース９が形成されると共に
、該スペース９に連通して前板部２ａの裏面側にポケット１０が形成され、前記スペース
９を介して収納凹部３に連通する投光窓１１が前板部２ａに開設され、前記光学フィルタ
８を嵌め込んだ矩形枠状枠体１２がスペース９とポケット１０との間で左右方向ｃ，ｄに
往復移動可能に前板部２ａの裏面に配置され、前記枠体１２に一体突設されて投光窓１１
から前方に突出する摘まみ部１２ａが設けられている。上記以外の構成は図１０に示す構
成とほぼ同じであるから、同一部分に同一符号を付してその説明を省略する。
【００２５】
図１は光学フィルタ８付き枠体１２をポケット１０内に収納してその光学フィルタ８で
光発信器ＬＥＤを被っていない状態を示しており、図４に実線で示すように、電子機器（
被操作機器）４Ａ〜４Ｃから大きい間隔ｈ１をおいた位置からリモコン本体２の操作部１
を操作しても、光発信器ＬＥＤからリモコン信号が出力１００％（図３のａ参照）で発信
されるから、例えば所望する中央の電子機器（被操作機器）４Ｂを遠くからでも遠隔操作
することができる。
【００２６】
もしも、遠隔操作により隣接する電子機器４Ａ，４Ｃが誤操作されるときには、図２に
示すように、摘まみ部１２ａを把持して光学フィルタ８付き枠体１２を矢印ｄ方向にスペ
ース９まで移動させて、その光学フィルタ８により光発信器ＬＥＤを被えばよい。これに
よって、光発信器ＬＥＤから発信するリモコン信号の出力が例えば５０％（図３のｂ参照
）に減衰されるから、その隣接する電子機器４Ａ，４Ｃが誤操作されるのを確実に防止す
ることができる。
【００２７】
そして、図４に仮想線で示すように、リモコン信号の出力が減衰された分だけリモコン
本体２を電子機器（被操作機器）４Ａ〜４Ｃに近づけてその両者間の間隔ｈ２を小さくし
、操作部１を操作すればよい。これによって、所望の電子機器４Ｂだけを確実に操作する
ことができる。
【００２８】
上記構成によれば、図１に示すように、光学フィルタ８を用いずに従来通りに例えば中
央の電子機器４Ｂを遠隔操作することができると共に、図２に示すように、光学フィルタ
８を用いて隣接する電子機器４Ａ，４Ｃの誤操作を防止することができるということであ
り、二通りの使い方ができるので、使い勝手が良い。
【００２９】
また、光学フィルタ８付き枠体１２を光発信器ＬＥＤの前方に形成したスペース９とそ
の側方に形成したポケット１０との間で往復移動させるだけで、光学フィルタ８で光発信
器ＬＥＤを被わずに従来通りに電子機器４Ａ〜４Ｃを遠隔操作したり（図１参照）、光学
フィルタ８で光発信器ＬＥＤを被って隣接する電子機器４Ａ〜４Ｃが誤操作されるのを防
止することができ（図２参照）、この場合、スペース９とポケット１０及び光学フィルタ
８付き枠体１２とが外部から見えないようにリモコン本体２内に組み込まれているので、
外観上の体裁を良好に保持することができる。
【００３０】
図５〜図７は本発明の第２の実施の形態であるリモコン発信機を示すものであって、リ
モコン本体２の前面に沿うホルダ本体１４ａと該ホルダ本体１４ａの両端から直角に折曲
して後方に延びる左右一対の側板部１４ｂとからなる平面視略コ字状の合成樹脂製ホルダ
１４を有し、該ホルダ１４の各側板部１４ｂの内面に凹部１５が形成されると共に、該各
凹部１５に対向してリモコン本体２の両側面に凸部１６が形成されており、該各凸部１６
に各凹部１５を係合させることにより、ホルダ１４がリモコン本体２の前部に着脱可能に
装着され、前記ホルダ本体１４ａの裏面に、収納凹部３に対向するスペース９と該スペー
ス９に連通するポケット１０とが形成され、前記スペース９を介して収納凹部３に連通す
る投光窓１１が前記ホルダ本体１４ａに開設され、前記光学フィルタ８を嵌め込んだ枠体
１２が前記スペース９とポケット１０との間で左右方向ｃ，ｄに往復移動可能に前記ホル
ダ本体１４ａの裏面に配置され、前記枠体１２に一体突設されて投光窓１１から前方に突
出する摘まみ部１２ａが設けられており、図５に示すように、光学フィルタ８付き枠体１
２をポケット１０内に収納してその光学フィルタ８で光発信器ＬＥＤを被っていない状態
から、摘まみ部１２ａを把持して光学フィルタ８付き枠体１２をポケット１０内からスペ
ース９内まで矢印ｄ方向に移動させてその光学フィルタ８で光発信器ＬＥＤを被うように
した（図５参照）。上記以外の構成は図１及び図２に示す第１の実施の形態とほぼ同じで
あるから、同一部分に同一符号を付してその説明を省略する。
【００３１】
上記構成によれば、図１及び図２に示す第１の実施の形態とほぼ同じ効果を得ることが
でき、特に、スペース９及びポケット１０を介して光学フィルタ８付き枠体１２が組み込
まれたホルダ１４をリモコン本体２の前部に装着するようになっており、既存のリモコン
本体２をそれにほとんど加工を施すことなくそのまま使用できるので、経済的である。
【００３２】
上記の構成では、凹部１５をホルダ１４の各側板部１４ｂの内面に形成すると共に、凸
部１６をリモコン本体２の両側面に形成したが、その逆に、凹部１５をリモコン本体２の
両側面に形成すると共に、凸部１６をホルダ１４の各側板部１４ｂの内面に形成するよう
にしてもよい。なお、リモコン本体２に加工をほとんど施さないので、そのリモコン本体
２を第１の実施の形態のように上下に二分割（２Ａ，２Ｂ）しなくてもよい。
【００３３】
図８及び図９は本発明の第３の実施の形態であるリモコン発信機を示すものであって、
リモコン本体２の収納凹部３と該リモコン本体２の前板部２ａとの間にスペース９が形成
され、該スペース９を介して収納凹部３に連通するそのスペース９よりも縦幅ｅ及び横幅
ｆを小さくした小形の矩形状投光窓１１が前記前板部２ａに形成され、光学フィルタ８を
嵌め込んだ枠体１２の外周面の後部に係合片１８が一体形成されると共に、該枠体１２の
外周面の前部に鍔部１９が一体形成されており、図８に示すように、光学フィルタ８で光
発信器ＬＥＤを被っていない状態から、図９に示すように、光学フィルタ８付き枠体１２
を投光窓１１内に嵌入させ前記係合片１８をスペース９に係脱可能に係合させると共に、
鍔部１９をリモコン本体２の前面に当接させてその光学フィルタ８で光発信器ＬＥＤを被
うようにした。上記以外の構成は図１及び図２に示す第１の実施の形態とほぼ同じである
から、同一部分に同一符号を付してその説明を省略する。
【００３４】
上記構成によれば、光学フィルタ８付き枠体１２が小型軽量で、製作費が安くつき、し
かも、光学フィルタ８付き枠体１２を投光窓１１に嵌入させるだけで該枠体１２の外周面
に一体形成した係合片１８をスペース９に係合させてリモコン本体２に簡単に取り付ける
ことができ、取り扱いやすい。
【図面の簡単な説明】
【００３５】
【図１】（ａ）は本発明の第１の実施の形態であるリモコン発信機の光学フィルタ不使用状態の要部の斜視図、（ｂ）はＡ−Ａ矢視図、（ｃ）はＢ−Ｂ矢視図、（ｄ）は光学フィルタ付き枠体の斜視図である。
【図２】（ａ）は同光学フィルタ使用状態の要部の斜視図、（ｂ）はＣ−Ｃ矢視図、（ｃ）はＤ−Ｄ矢視図である。
【図３】同リモコン信号の出力状態を示すグラフである。
【図４】同リモコン操作状態を示す概略平面図である。
【図５】（ａ）は本発明の第２の実施の形態であるリモコン発信機の光学フィルタ不使用状態の要部の斜視図、（ｂ）はＥ−Ｅ矢視図、（ｃ）はＦ−Ｆ矢視図である。
【図６】（ａ）は同光学フィルタ使用状態の要部の斜視図、（ｂ）はＧ−Ｇ矢視図、（ｃ）はＨ−Ｈ矢視図である。
【図７】同分解斜視図である。
【図８】（ａ）は本発明の第３の実施の形態であるリモコン発信機の光学フィルタ不使用状態の要部の斜視図、（ｂ）はＩ−Ｉ矢視図、（ｃ）はＪ−Ｊ矢視図である。
【図９】（ａ）は同光学フィルタ使用状態の要部の斜視図、（ｂ）はＫ−Ｋ矢視図、（ｃ）はＬ−Ｌ矢視図である。
【図１０】従来のリモコン発信機を示す斜視図である。
【図１１】同リモコン操作状態を示す概略平面図である。
【符号の説明】
【００３６】
１          操作部
２          リモコン本体
２ａ        リモコン本体の前板部
３          収納凹部
４Ａ〜４Ｃ  電子機器（被操作機器）
５          受信部
７          ガイド筒
８          光学フィルタ
９          スペース
１０        ポケット
１１        投光窓
１２        枠体
１２ａ      摘まみ部
１４        ホルダ
１４ａ      ホルダ本体
１４ｂ      側板部
１５        凹部
１６        凸部
１８        係合片
１９        鍔部
ＬＥＤ      光発信器
【図１】
2007089072.tif 000003
【図２】
2007089072.tif 000004
【図３】
2007089072.tif 000005
【図４】
2007089072.tif 000006
【図５】
2007089072.tif 000007
【図６】
2007089072.tif 000008
【図７】
2007089072.tif 000009
【図８】
2007089072.tif 000010
【図９】
2007089072.tif 000011
【図１０】
2007089072.tif 000012
【図１１】
2007089072.tif 000013